(57)【要約】【課題】装着時に脚周りに生じる隙間からの漏れを防ぐことができ、脚の動きの妨げとならない吸収性物品を提供する。【解決手段】使い捨ておむつ１は、おむつ本体部１１の股間部１１ｃの側部から側方に延出し、着用者の大腿部を覆う脚部吸収部２０を備え、脚部吸収部２０は、透液性の表面シート２１１と不透液性の裏面シート２１２の間に吸収体２１３が介装された脚部本体部２１と、脚部本体部２１の脚周り方向の一端部に設けられた止着部２２と、脚部本体部２１の長手方向の他端部外面において止着部２２を着脱自在に止着させる被止着部２３と、を備え、吸収体２１３の股間部１１ｃ側の縁部から他方側の縁部に亘る延出方向の中央部には、吸収体２１３を欠落させることで或いは吸収体２１３の他の部分に比して厚みを薄くすることで折り曲げ易くした易折り曲げ部Ｒが、脚周り方向に延在して設けられている。【選択図】図１
2015192746.tif 000002
【特許請求の範囲】
【請求項１】
着用者の腹側に位置する腹側部、背側に位置する背側部、及び前記腹側部と前記背側部の間に位置する股間部を有するおむつ本体部を備える吸収性物品において、
前記おむつ本体部の前記股間部の少なくとも一方の側部から側方に延出し、着用者の大腿部を覆う脚部吸収部を備え、
前記脚部吸収部は、
透液性の表面シートと不透液性の裏面シートの間に吸収体が介装された脚部本体部と、
前記脚部本体部の脚周り方向の一端部に設けられた止着部と、
前記脚部本体部の前記脚周り方向の他端部外面において前記止着部を着脱自在に止着させる被止着部と、
を備え、
前記吸収体の前記股間部側の縁部から他方側の縁部に亘る延出方向の中央部には、前記吸収体を欠落させることで或いは前記吸収体の他の部分に比して厚みを薄くすることで折り曲げ易くした易折り曲げ部が、前記脚周り方向に延在して設けられていることを特徴とする吸収性物品。
【請求項２】
前記易折り曲げ部は、前記脚部本体部の展開時における前記脚周り方向の中央部が、端部より幅が広く形成されていることを特徴とする請求項１に記載の吸収性物品。
【請求項３】
前記吸収体の前記易折り曲げ部と隣接する部分には、前記易折り曲げ部より厚みが厚く、且つ前記吸収体の他の部分に比して厚みを薄くした薄肉部が前記脚周り方向に延在して設けられていることを特徴とする請求項１又は２に記載の吸収性物品。
【請求項４】
前記止着部は、前記脚部本体部の前記脚周り方向の一端部において、前記延出方向に沿って間欠的に複数設けられていることを特徴とする請求項１〜３の何れか一項に記載の吸収性物品。
【請求項５】
前記脚部吸収部は、前記おむつ本体部に着脱自在になっており、
前記おむつ本体部は、前記股間部の側部に沿って延在するギャザーシートを備え、
前記脚部本体部の前記股間部側の側部には、前記股間部の方向に突出した突出部が備えられ、
前記突出部を折り曲げた状態で前記ギャザーシートに引っ掛けることで、前記おむつ本体部と前記脚部本体部とが連結されることを特徴とする請求項１〜４の何れか一項に記載の吸収性物品。
【請求項６】
前記突出部及び／又は前記ギャザーシートには、互いに係止するための係止部が備えられることを特徴とする請求項５に記載の吸収性物品。
【請求項７】
前記突出部は、前記脚部本体部の前記股間部側の側部から前記股間部の方向に突出した前記表面シートと前記裏面シートとを貼り合わせて形成され、
前記突出部の前記脚周り方向の両端部には、前記前記表面シートと前記裏面シートとの間に突出部吸収体が介装されることを特徴とする請求項５又は６に記載の吸収性物品。
【請求項８】
着用者の腹側に位置する腹側部、背側に位置する背側部、及び前記腹側部と前記背側部の間に位置する股間部を有するおむつ本体部の前記股間部の少なくとも一方の側部に取り付けられて使用され、着用者の大腿部を覆う脚部用吸収性物品において、
透液性の表面シートと不透液性の裏面シートの間に吸収体が介装された脚部本体部と、
前記脚部本体部の脚周り方向の一端部に設けられた止着部と、
前記脚部本体部の前記脚周り方向の他端部外面において前記止着部を着脱自在に止着させる被止着部と、
を備え、
前記吸収体の前記股間部側の縁部から他方側の縁部に亘る延出方向の中央部には、前記吸収体を欠落させることで或いは前記吸収体の他の部分に比して厚みを薄くすることで折り曲げ易くした易折り曲げ部が、前記脚周り方向に延在して設けられていることを特徴とする脚部用吸収性物品。
【請求項９】
前記易折り曲げ部は、前記脚部本体部の展開時における前記脚周り方向の中央部が、端部より幅が広く形成されていることを特徴とする請求項８に記載の脚部用吸収性物品。
【請求項１０】
前記吸収体の前記易折り曲げ部と隣接する部分には、前記易折り曲げ部より厚みが厚く、且つ前記吸収体の他の部分に比して厚みを薄くした薄肉部が前記脚周り方向に延在して設けられていることを特徴とする請求項８又は９に記載の脚部用吸収性物品。
【請求項１１】
前記止着部は、前記脚部本体部の前記脚周り方向の一端部において、前記延出方向に沿って間欠的に複数設けられていることを特徴とする請求項８〜１０の何れか一項に記載の脚部用吸収性物品。
【請求項１２】
前記おむつ本体部は、前記股間部の側部に沿って延在するギャザーシートを備え、
前記脚部本体部の前記股間部側の側部には、前記股間部の方向に突出した突出部が備えられ、
前記突出部を折り曲げた状態で前記ギャザーシートに引っ掛けることで、前記おむつ本体部と前記脚部本体部とが連結されることを特徴とする請求項８〜１１の何れか一項に記載の脚部用吸収性物品。
【請求項１３】
前記突出部及び／又は前記ギャザーシートには、互いに係止するための係止部が備えられることを特徴とする請求項１２に記載の脚部用吸収性物品。
【請求項１４】
前記突出部は、前記脚部本体部の前記股間部側の側部から前記股間部の方向に突出した前記表面シートと前記裏面シートとを貼り合わせて形成され、
前記突出部の前記脚周り方向の両端部には、前記前記表面シートと前記裏面シートとの間に突出部吸収体が介装されることを特徴とする請求項１２又は１３に記載の脚部用吸収性物品。
【発明の詳細な説明】
【技術分野】
【０００１】
本発明は、吸収性物品及び脚部用吸収性物品に関する。
【背景技術】
【０００２】
従来、吸収性物品の一つとして使い捨ておむつが知られている。使い捨ておむつとしては、パンツ型及び止着式紙おむつが知られており、これらは、何れも身体の腹側を被覆する腹側部、背側を被覆する背側部、及び股間を被覆する股間部を有するおむつ本体部を備え、着用者の身体に装着されて使用される。
こうした使い捨ておむつでは、特に、脚の細い着用者において、装着時に脚周りに隙間が生じ、体液等の漏れが発生してしまう場合があった。
そこで、おむつ本体部の股間部の両側部に、脚部に巻き付けるための脚部吸水性シートを備えた使い捨ておむつが提案されている（例えば、特許文献１参照）。
【先行技術文献】
【特許文献】
【０００３】
【特許文献１】特開２０１２−１６５９９１号公報
【発明の概要】
【発明が解決しようとする課題】
【０００４】
しかしながら、特許文献１の使い捨ておむつは、脚部に巻き付けた脚部吸水性シートが脚の動きの妨げとなり、装着時に不快感を生じさせるものであった。
【０００５】
本発明の目的は、装着時に脚周りに生じる隙間からの漏れを防ぐことができ、脚の動きの妨げとならない吸収性物品及び脚部用吸収性物品を提供することである。
【課題を解決するための手段】
【０００６】
以上の課題を解決するため、
請求項１に記載の発明は、
着用者の腹側に位置する腹側部、背側に位置する背側部、及び前記腹側部と前記背側部の間に位置する股間部を有するおむつ本体部を備える吸収性物品において、
前記おむつ本体部の前記股間部の少なくとも一方の側部から側方に延出し、着用者の大腿部を覆う脚部吸収部を備え、
前記脚部吸収部は、
透液性の表面シートと不透液性の裏面シートの間に吸収体が介装された脚部本体部と、
前記脚部本体部の脚周り方向の一端部に設けられた止着部と、
前記脚部本体部の前記脚周り方向の他端部外面において前記止着部を着脱自在に止着させる被止着部と、
を備え、
前記吸収体の前記股間部側の縁部から他方側の縁部に亘る延出方向の中央部には、前記吸収体を欠落させることで或いは前記吸収体の他の部分に比して厚みを薄くすることで折り曲げ易くした易折り曲げ部が、前記脚周り方向に延在して設けられていることを特徴とする。
【０００７】
また、請求項２に記載の発明は、請求項１に記載の吸収性物品において、
前記易折り曲げ部は、前記脚部本体部の展開時における前記脚周り方向の中央部が、端部より幅が広く形成されていることを特徴とする。
【０００８】
また、請求項３に記載の発明は、請求項１又は２に記載の吸収性物品において、
前記吸収体の前記易折り曲げ部と隣接する部分には、前記易折り曲げ部より厚みが厚く、且つ前記吸収体の他の部分に比して厚みを薄くした薄肉部が前記脚周り方向に延在して設けられていることを特徴とする。
【０００９】
また、請求項４に記載の発明は、請求項１〜３の何れか一項に記載の吸収性物品において、
前記止着部は、前記脚部本体部の前記脚周り方向の一端部において、前記延出方向に沿って間欠的に複数設けられていることを特徴とする。
【００１０】
また、請求項５に記載の発明は、請求項１〜４の何れか一項に記載の吸収性物品において、
前記脚部吸収部は、前記おむつ本体部に着脱自在になっており、
前記おむつ本体部は、前記股間部の側部に沿って延在するギャザーシートを備え、
前記脚部本体部の前記股間部側の側部には、前記股間部の方向に突出した突出部が備えられ、
前記突出部を折り曲げた状態で前記ギャザーシートに引っ掛けることで、前記おむつ本体部と前記脚部本体部とが連結されることを特徴とする。
【００１１】
また、請求項６に記載の発明は、請求項５に記載の吸収性物品において、
前記突出部及び／又は前記ギャザーシートには、互いに係止するための係止部が備えられることを特徴とする。
【００１２】
また、請求項７に記載の発明は、請求項５又は６に記載の吸収性物品において、
前記突出部は、前記脚部本体部の前記股間部側の側部から前記股間部の方向に突出した前記表面シートと前記裏面シートとを貼り合わせて形成され、
前記突出部の前記脚周り方向の両端部には、前記前記表面シートと前記裏面シートとの間に突出部吸収体が介装されることを特徴とする。
【００１３】
また、請求項８に記載の発明は、
着用者の腹側に位置する腹側部、背側に位置する背側部、及び前記腹側部と前記背側部の間に位置する股間部を有するおむつ本体部の前記股間部の少なくとも一方の側部に取り付けられて使用され、着用者の大腿部を覆う脚部用吸収性物品において、
透液性の表面シートと不透液性の裏面シートの間に吸収体が介装された脚部本体部と、
前記脚部本体部の脚周り方向の一端部に設けられた止着部と、
前記脚部本体部の前記脚周り方向の他端部外面において前記止着部を着脱自在に止着させる被止着部と、
を備え、
前記吸収体の前記股間部側の縁部から他方側の縁部に亘る延出方向の中央部には、前記吸収体を欠落させることで或いは前記吸収体の他の部分に比して厚みを薄くすることで折り曲げ易くした易折り曲げ部が、前記脚周り方向に延在して設けられていることを特徴とする。
【００１４】
また、請求項９に記載の発明は、請求項８に記載の脚部用吸収性物品において、
前記易折り曲げ部は、前記脚部本体部の展開時における前記脚周り方向の中央部が、端部より幅が広く形成されていることを特徴とする。
【００１５】
また、請求項１０に記載の発明は、請求項８又は９に記載の脚部用吸収性物品において、
前記吸収体の前記易折り曲げ部と隣接する部分には、前記易折り曲げ部より厚みが厚く、且つ前記吸収体の他の部分に比して厚みを薄くした薄肉部が前記脚周り方向に延在して設けられていることを特徴とする。
【００１６】
また、請求項１１に記載の発明は、請求項８〜１０の何れか一項に記載の脚部用吸収性物品において、
前記止着部は、前記脚部本体部の前記脚周り方向の一端部において、前記延出方向に沿って間欠的に複数設けられていることを特徴とする。
【００１７】
また、請求項１２に記載の発明は、請求項８〜１１の何れか一項に記載の脚部用吸収性物品において、
前記おむつ本体部は、前記股間部の側部に沿って延在するギャザーシートを備え、
前記脚部本体部の前記股間部側の側部には、前記股間部の方向に突出した突出部が備えられ、
前記突出部を折り曲げた状態で前記ギャザーシートに引っ掛けることで、前記おむつ本体部と前記脚部本体部とが連結されることを特徴とする。
【００１８】
また、請求項１３に記載の発明は、請求項１２に記載の脚部用吸収性物品において、
前記突出部及び／又は前記ギャザーシートには、互いに係止するための係止部が備えられることを特徴とする。
【００１９】
また、請求項１４に記載の発明は、請求項１２又は１３に記載の脚部用吸収性物品において、
前記突出部は、前記脚部本体部の前記股間部側の側部から前記股間部の方向に突出した前記表面シートと前記裏面シートとを貼り合わせて形成され、
前記突出部の前記脚周り方向の両端部には、前記前記表面シートと前記裏面シートとの間に突出部吸収体が介装されることを特徴とする。
【発明の効果】
【００２０】
本発明によれば、装着時に脚周りに生じる隙間からの漏れを防ぐことができ、脚の動きの妨げとならない吸収性物品及び脚部用吸収性物品を提供することができる
【図面の簡単な説明】
【００２１】
【図１】本発明の一実施形態に係る使い捨ておむつの装着時の状態を示す外観図である。
【図２】図１の使い捨ておむつの展開平面図である。
【図３】図２のIII-III線における断面図である。
【図４】脚部吸収部の展開平面図である。
【図５】脚部吸収部の装着時の状態を示す外観図である。
【図６】脚部吸収部が変形した状態を示す外観図である。
【図７】脚部吸収部の変形例を示す展開平面図である。
【図８】脚部吸収部の変形例を示す展開平面図である。
【図９】脚部吸収部の変形例を示す展開平面図である。
【発明を実施するための形態】
【００２２】
以下、図を参照して、本発明の実施の形態を詳細に説明する。ただし、発明の範囲は、図示例に限定されない。
【００２３】
［使い捨ておむつ］
図１は、本実施形態における使い捨ておむつ(吸収性物品)１の装着時の状態を示す外観図である。
使い捨ておむつ１は、図１に示すように、身体の股間部を覆う止着式紙おむつ１０と、身体の脚部を覆う脚部吸収部（脚部用吸収性物品）２０と、を備えて構成される。
本実施形態においては、止着式紙おむつ１０と脚部吸収部２０とは別体として形成され、使用時に止着式紙おむつ１０に脚部吸収部２０が取り付けられる。
【００２４】
［止着式紙おむつ］
まず、止着式紙おむつ１０について説明する。
図２は、使い捨ておむつ１の展開平面図である。
止着式紙おむつ１０は、図２に示すように、例えば、液保持性を有するおむつ本体部１１と、おむつ本体部１１の長手方向両側部から外側に延出する一対のテープ部１２，１２と、テープ部１２，１２を止着させるターゲット部１３（図１参照）と、を備えている。
【００２５】
おむつ本体部１１は、装着時に身体との接触面側（表側）に設けられる透液性のトップシート１１１と、装着時に身体との接触面と反対側の外部側（裏側）に設けられる不透液性のバックシート１１２と、トップシート１１１とバックシート１１２との間に介装される吸収体１１３と、トップシート１１１側の吸収体１１３の両側部に、おむつ本体部１１の長手方向に沿って備えられるギャザーシート１１４，１１４と、を備えている。
【００２６】
また、おむつ本体部１１の長手方向の一方の端部には、装着時に身体の腹側に配置されて腹周りを被覆する腹側部１１ａが形成され、他方の端部には、装着時に身体の背側に配置されて背周りを被覆する背側部１１ｂが形成され、腹側部１１ａと背側部１１ｂの間に、身体の股間部を被覆する股間部１１ｃが形成されている。また、股間部１１ｃの両側縁部には、腹側部１１ａから背側部１１ｂに亘って、装着時に身体の脚周りに配置される二つの脚周り部１１ｄ，１１ｄが形成されている。
【００２７】
一対のテープ部１２，１２は、背側部１１ｂの両側部において、それぞれ外側に向かって突出するよう備えられている。一対のテープ部１２，１２は、伸縮自在であって、装着時に着用者の腹周りの寸法に合わせて引き伸ばされ、腹側部１１ａの外面に備えられたターゲット部１３に着脱可能に止着される。
【００２８】
ターゲット部１３は、腹側部１１ａにおいてバックシート１１２外面に備えられ、一対のテープ部１２，１２を止着させる。
【００２９】
［脚部吸収部］
次に、脚部吸収部２０について説明する。
図３は、図２の使い捨ておむつ１のIII-III線における断面図である。図４は、脚部吸収部２０の展開平面図である。図５は、脚部吸収部２０の脚部（大腿部）に装着した状態を示す外観図である。図６は、脚部吸収部２０が変形した状態を示す外観図である。なお、図４においては、表面シート２１１と裏面シート２１２の間に介装される吸収体２１３を破線で示し、裏面シート２１２の外面に備えられた被止着部２３を一点鎖線で示している。また、図５、６においては、止着式紙おむつ１０の図示は省略している。
【００３０】
脚部吸収部２０は、図３、４に示すように、例えば、液保持性を有する脚部本体部２１と、脚部本体部２１の長手方向（脚周り方向）一端部から外側に延出する止着部２２と、止着部２２を止着させる被止着部２３と、を備えている。
この脚部吸収部２０は、図５に示すように、脚部本体部２１を丸めて身体の大腿部に巻き付けた状態で、止着部２２を被止着部２３に止着させることで装着される。
なお、以下の説明では、装着時に、脚部本体部２１の脚の付け根に近い方（股間部１１ｃに近い方）の一側部側を上側とし、膝に近い方の他側部を下側とする。また、脚部本体部２１の展開時において、止着部２２が設けられた一端部側を右側とし、被止着部２３が設けられ他端部側を左側とする。
【００３１】
脚部本体部２１は、装着時に身体との接触面側（表側）に設けられる表面シート２１１と、装着時に身体との接触面と反対側の外部側（裏側）に設けられる裏面シート２１２と、表面シート２１１と裏面シート２１２との間に介装される吸収体２１３と、脚部本体部２１の下側の端部に備えられるギャザーシート２１４と、を備えている。
【００３２】
また、脚部本体部２１には、身体の大腿部に巻き付けるための平面視略長方形状の大腿被覆部２１ａと、脚部本体部２１の上側部において股間部１１ｃの方向に突出した突出部２１ｂと、が形成されている。
突出部２１ｂは、脚部吸収部２０を、おむつ本体部１１の脚周り部１１ｄに連結するために用いられる。
【００３３】
突出部２１ｂは、例えば、大腿被覆部２１ａよりも小さな平面視略長方形状であって、その長手方向の寸法は、止着式紙おむつ１０の股間部１１ｃの長さに対応させることが好ましい。
例えば、大腿被覆部２１ａと突出部２１ｂを一体とする場合には、大腿被覆部２１ａと突出部２１ｂを一体に同一の長さに形成した後、突出部２１ｂの股間部１１ｃに対応することとなる部分のみを残してそれ以外の部分を切り離すことで、突出部２１ｂの長さを股間部１１ｃの長さに対応させることができる。
また、大腿被覆部２１ａと突出部２１ｂを一体とする場合には、大腿被覆部２１ａと突出部２１ｂを一体に同一の長さに形成し、突出部２１ｂにミシン目をいれておいても良い。この構成では、着用者への装着時に、突出部２１ｂを止着式紙おむつ１０の脚周り部１１ｄに連結した際、突出部２１ｂの股間部１１ｃに対応する部分のみを残し、それ以外の部分をミシン目により切り離すことで、突出部２１ｂの長さを股間部１１ｃの長さに対応させることができる。
或いは、大腿被覆部２１ａと突出部２１ｂを別体とする場合には、予め突出部２１ｂを止着式紙おむつ１０の股間部１１ｃに対応する長さに形成し、この突出部２１ｂを大腿被覆部２１ａの上側縁に接着することで、突出部２１ｂの長さを股間部１１ｃの長さに対応させることができる。なお、このように大腿被覆部２１ａと突出部２１ｂを別体とした場合、製造時に切り離す手間やコストを抑えることができる。
【００３４】
そして、このように突出部２１ｂの長さを股間部１１ｃの長さに対応させることで、止着式紙おむつ１０の股間部１１ｃに対応した部分にのみ突出部２１ｂが配置されることとなるため、脚部吸収部２０の設置に伴う装着時の脚の付け根付近のごわつきを最低限に抑えることができる。
また、このようにすることで、突出部２１ｂが止着式紙おむつ１０の立体ギャザーのカーブ（脚の付け根の丸み）に沿い、大腿被覆部２１ａが大腿部の丸みに沿うので、突出部２１ｂ及び大腿被覆部２１ａが、脚の付け根と大腿部のそれぞれの丸みに沿って各部の動きに連動することが可能となるため、隙間が生じ難く、漏れをより防止しやすくすることができる。
また、このとき、突出部２１ｂの弾性部材２１５の伸張率は、止着式紙おむつ１０の立体ギャザーに沿わせるため、止着式紙おむつ１０の立体ギャザーと同等の伸張率（例えば、１５０％〜２５０％）とすることが好ましい。
【００３５】
表面シート２１１は、吸収体２１３の表側に設けられ、尿などの水様成分を含む体液等を受けて、吸収体２１３まで輸送する役割を果たす、透液性のシートである。
透液性シートとしては、例えば、ナイロン、ポリエチレンテレフタレート等の糸を平織り等したネット状のシート素材、多数の透孔を形成したフィルムシート材、ポリエチレンやポリプロピレンなどのフィルムシート材、透液性を有する織布、不織布が適し、特に不織布が適する。不織布としては、ポリエチレンやポリプロピレンなどのオレフィン系、ポリエステル系、ポリアミド系等の合成繊維、レーヨンやキュプラなどの再生繊維、綿等の天然繊維を繊維素材として、スパンレース法、スパンボンド法、サーマルボンド法、メルトブローン法、ニードルパンチ法等の適宜の加工法によって加工したものを用いることができる。
【００３６】
裏面シート２１２は、吸収体２１３の裏側に設けられ、体液等の脚部吸収部２０外部への染み出し、漏れ出しを防ぐ役割を果たす、不透液性のシートである。
不透液性シートとしては、例えば、ポリエチレンやポリプロピレンなどの少なくとも遮水性を有するシート材であって、ムレ防止の観点から透湿性を有するシート材であることが好ましい。この遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材が好適に用いられる。
その他にも、不透液性を有するフィルム層と、通気性を有する不織布層と、からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
【００３７】
このような表面シート２１１と裏面シート２１２とは、略同一の形状に形成されており、何れも、大腿被覆部２１ａ及び突出部２１ｂを形成するための大小二つの長方形が上下に配された形状となっている。
そして、表面シート２１１と裏面シート２１２とが重ねられた状態において、大腿被覆部２１ａの周縁部となる部分が接着され、その内部に吸収体２１３が収納される。
【００３８】
また、突出部２１ｂにおいては、当該突出部２１ｂの上下方向中央部において、長手方向に沿って延在するよう糸ゴム等の弾性部材２１５が挟み込まれた状態で、表面シート２１１と裏面シート２１２が接着される。
このため、突出部２１ｂは、弾性部材２１５を折り位置として折り曲げ易くなるので、図３に示すように、止着式紙おむつ１０の股間部１１ｃ（脚周り部１１ｄ）のギャザーシート１１４に、突出部２１ｂを折り曲げた状態で引っ掛けて被せ、止着式紙おむつ１０と脚部吸収部２０とを連結させることができる。
また、このとき、透液性の表面シート２１１と不透液性の裏面シート２１２を接着して突出部２１ｂを形成しているため、止着式紙おむつ１０の立体ギャザーを越えて尿などが漏れ出した際に、突出部２１ｂの表面シート２１１により大腿被覆部２１ａまで当該尿などを誘導しつつも、突出部２１ｂの裏面シート２１２が不透液性であるため、止着式紙おむつ１０のギャザーシート１１４までこれが染み出すことがなく、止着式紙おむつ１０が汚染されるのが防止される。
【００３９】
吸収体２１３は、装着時に、止着式紙おむつ１０の脚周り部１１ｄから漏れ出して、突出部２１ｂを伝って脚部吸収部２０に流れた体液等を吸収する役割を果たすものである。
【００４０】
吸収体２１３は、綿やパルプなどの吸収性素材や、繊維あるいはフィルム等のシート状基材に、高吸水性樹脂を混入したものが使用される。
なお、高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
【００４１】
吸収体２１３の股間部１１ｃ側の縁部から他方側の縁部に亘る上下方向（延出方向）の中央部には、吸収体２１３を欠落させることで或いは吸収体２１３の他の部分に比して厚みを薄くすることで折り曲げ易くした易折り曲げ部Ｒが、吸収体２１３の長手方向（脚周り方向）に延在して設けられている。
具体的に、吸収体２１３は、股間部１１ｃ側に配された第１吸収部２１３Ａと、第１吸収部２１３Ａよりも下側（延出方向側）に配された第２吸収部２１３Ｂと、を備え、第１吸収部２１３Ａ及び第２吸収部２１３Ｂの間に、易折り曲げ部Ｒが設けられている。
また、本実施形態では、この易折り曲げ部Ｒは、脚部本体部２１の展開時における長手方向の中央部が、両端部より幅が広く形成されており、例えば、図４に示すように、下側に向かって凸となる平面視逆三角形状に形成される。
なお、易折り曲げ部Ｒの形状は、吸収体２１３の長手方向の一端から他端に亘って延在するものであれば良く、これ以外にも、例えば、五角形、逆五角形、菱型、楕円等であっても良い。
この易折り曲げ部Ｒは、装着時に着用者の大腿部内側に当接する位置に設けられている（図１参照）。このため、図６に示すように、着用者が脚部吸収部２０を装着した状態で脚部を動かした際に、脚部の動きに伴って易折り曲げ部Ｒが折り曲げられ、吸収体２１３が変形できることとなる。
なお、本実施形態では、第１吸収部２１３Ａ及び第２吸収部２１３Ｂが、長手方向両端部において連続していない形状を例示しているが、第１吸収部２１３Ａ及び第２吸収部２１３Ｂは、長手方向両端部において連続していても良い。また、第１吸収部２１３Ａ及び第２吸収部２１３Ｂは、形状保持等のため、例えば、クレープ紙や透液性の不織布や孔開きシートなどの透液性の被覆部材によって囲繞することとしても良い。また、第１吸収部２１３Ａ及び第２吸収部２１３Ｂを、それぞれ異なる任意の厚みにしても良い。
【００４２】
ギャザーシート２１４は、例えば、一枚の不織布シートを二つに折り曲げ、一方の自由端部を表面シート２１１の上面に固着し、他方の自由端部を裏面シート２１２の下面に固着して、脚部本体部２１の下側の側部を挟み込むように備えられている。
このギャザーシート２１４は、その長手方向に沿って配される糸ゴム等の弾性部材２１６を挟んだ状態で折り曲げられている。このため、脚部本体部２１の下側部は伸縮性を有し、装着時に着用者の脚周りにあわせて変形可能となっている。
【００４３】
止着部２２は、脚部本体部２１の長手方向の一端部において、上下方向に沿って間欠的に複数設けられている。
本実施形態においては、止着部２２は、３つの止着部材２２ａ，２２ｂ，２２ｃを備えている。
各止着部材２２ａ，２２ｂ，２２ｃは、脚部本体部２１の一端部において、長手方向の外側に向かって突出するよう配され、例えば、基材にファスニングテープ２２１を備えて構成されている。
【００４４】
基材は、例えばポリエチレンやポリプロピレン等の各種のプラスチックフィルムを、所定の厚さに形成したシート材であり、その一端部が脚部本体部２１に接合されている。
なお、基材は、裏面シート２１２の外面に貼り付けてもよいし、表面シート２１１と裏面シート２１２との間に挟んでもよい。
【００４５】
ファスニングテープ２２１は、基材の他端部側の内面（被止着部２３と対向する面）に設けられている。ファスニングテープ２２１の表面には、面ファスナのオス材の係止要素である、鉤状、きのこ状、錨状等の多数の突起が形成されたフック材が設けられており、被止着部２３の係止層と係合させるようになっている。
【００４６】
また、本実施形態においては、３つの止着部材２２ａ，２２ｂ，２２ｃのうち、上の２つの止着部材２２ａ，２２ｂは同一の幅を有し、最も下側の止着部材２２ｃが上の２つの止着部材２２ａ，２２ｂと比して幅が狭く形成されている。なお、上の２つの止着部材２２ａ，２２ｂは被止着部２３に止着され、最も下側の止着部材２２ｃはギャザーシート２１４に止着される。
このようにすることで、大腿部の各部の太さに対応し、締め付け具合を調節することができると共に、大腿部の付け根近傍、大腿部の中間部を、２つの止着部材２２ａ，２２ｂにより強固に固定し、ギャザーシート２１４付近は比較的弱く固定するようになっている。
なお、上側から下側にいくにつれて止着部材の幅が狭くなるようにしても良い。また、止着部材の数は、３つに限定されない。
【００４７】
被止着部２３は、脚部本体部２１の他端部の外面である裏面シート２１２側に備えられている。被止着部２３は、止着部２２のファスニングテープ２２１を係止するためのメス材の係止要素である係止層を備えている。
【００４８】
係止層には、基材シートにループ状の繊維束が形成されてなるループ材が設けられている。このループ材は、ファスニングテープ２２１の表面に形成されたフック材と機械的に係合する。
係止層のループ材の表面にファスニングテープ２２１のフック材を重ね合わせ、フック材の多数の突起をループ材の表面に係合させることにより、止着部２２と被止着部２３の両部材を着脱可能な状態に係止させることができる。
【００４９】
次に、本実施形態の使い捨ておむつ１の着用者の身体に対する装着方法を説明する。
まず、最初の装着時において、止着式紙おむつ１０の背側部１１ｂを着用者の身体の背側に当接させるようにして、当該止着式紙おむつ１０を着用者の身体の下側に載置する。
次に、股間部１１ｃ及び腹側部１１ａの中心を着用者の身体の中心に合わせながら当該腹側部１１ａを着用者の身体の手前側に配置させる。
【００５０】
次に、脚部吸収部２０の大腿被覆部２１ａの長手方向中央部が着用者の大腿部の内側に当接するよう合わせた状態で、脚部吸収部２０の突出部２１ｂを、止着式紙おむつ１０の脚周り部１１ｄのギャザーシート１１４に引っ掛けて、止着式紙おむつ１０と脚部吸収部２０とを連結させる。
次に、大腿被覆部２１ａを着用者の大腿部に巻きつけ、止着部２２を被止着部２３に係止させる。
【００５１】
次に、止着式紙おむつ１０の腹側部１１ａを着用者の身体の腹部に当接させた後、テープ部１２，１２を着用者の身体の腹周りに沿って伸長させ、ターゲット部１３に係止させる。
【００５２】
このようにして、着用者の股間部及び大腿部に、止着式紙おむつ１０及び脚部吸収部２０が装着される（図１参照）。
装着時においては、脚部吸収部２０の吸収体２１３には易折り曲げ部Ｒが形成されているため、図６に示すように、着用者の大腿部の動きに合わせて易折り曲げ部Ｒが折り曲げられ、第１吸収部２１３Ａ及び第２吸収部２１３Ｂが接近するように吸収体２１３が変形するようになっている。このため、通常の厚みを有する吸収体２１３が折れ曲がったときと比較してごわつきが低減され、脚部吸収部２０による装着時の不快感を低減することができる。
【００５３】
以上のように、本実施形態の使い捨ておむつ１は、止着式紙おむつ１０のおむつ本体部１１の股間部１１ｃの少なくとも一方の側部から側方に延出し、着用者の大腿部を覆う脚部吸収部２０を備え、脚部吸収部２０は、透液性の表面シート２１１と不透液性の裏面シート２１２の間に吸収体２１３が介装された脚部本体部２１と、脚部本体部２１の長手方向（脚周り方向）の一端部に設けられた止着部２２と、脚部本体部２１の長手方向の他端部外面において止着部２２を着脱自在に止着させる被止着部２３と、を備え、吸収体２３１の股間部１１ｃ側の縁部から他方側の縁部に亘る延出方向の中央部には、吸収体２１３を欠落させることで或いは吸収体２１３の他の部分に比して厚みを薄くすることで折り曲げ易くした易折り曲げ部Ｒが、脚周り方向に延在して設けられている。
このため、脚の動きに伴って易折り曲げ部Ｒが折り曲げられて脚部吸収部２０が変形するので、脚の動きが妨げられることがなく、脚部吸収部２０による装着時の不快感が生じづらい構成でありながら、装着時に脚周りに生じる隙間からの漏れを防ぐことができる。
【００５４】
また、本実施形態によれば、易折り曲げ部Ｒは、脚部本体部２１の展開時における長手方向の中央部が、端部より幅が広く形成されている。
このため、吸収体２１３が大腿部内側の窪みに追従しやすく、フィット性をより高めることができる。
【００５５】
また、本実施形態によれば、止着部２２は、脚部本体部２１の長手方向の一端部において、上下方向（延出方向）に沿って間欠的に複数設けられている。
このため、大腿部の位置に応じて締め付け具合を調整できるので、フィット性をより高めることができる。
【００５６】
また、本実施形態によれば、おむつ本体部１１は、股間部１１ｃの側部に沿って延在するギャザーシート１１４，１１４を備え、脚部本体部２１の股間部１１ｃ側の側部には、股間部１１ｃの方向に突出した突出部２１ｂが備えられ、突出部２１ｂを折り曲げた状態でギャザーシート１１４に引っ掛けることで、おむつ本体部１１と脚部本体部２１とが連結される。
このため、止着式紙おむつ１０と脚部吸収部２０とを別体として形成し、装着時に必要に応じて連結させることができる。また、着用者に応じて、左右両方または何れか一方を選択して脚部吸収部２０を連結させることができる。また、着用者の脚の形状に応じて脚部吸収部２０の連結位置の微調整を行うことができる。また、脚部吸収部２０のみ取り外して交換することが可能となる。また、ギャザーシート１１４の上から突出部２１ｂを被せて連結するため、ギャザーシート１１４が汚れるのを防止することができる。
【００５７】
なお、上記実施形態の詳細な部分については、本発明の趣旨を逸脱しない範囲で適宜変更可能である。
例えば、図７に示すように、第２吸収部２１３Ｂにおいて、易折り曲げ部Ｒと隣接する部分に、易折り曲げ部Ｒより厚みが厚く且つ第２吸収部２１３Ｂの他の部分に比して厚みを薄くした薄肉部２１３Ｃを長手方向に延在するよう設けることとしても良い。
また、図示は省略するが、第２吸収部２１３Ｂの代わりに、第１吸収部２１３Ａにおける易折り曲げ部Ｒと隣接する部分に上記した薄肉部２１３Ｃを設けても良いし、第１吸収部２１３Ａの及び第２吸収部２１３Ｂにおける易折り曲げ部Ｒと隣接する部分に上記した薄肉部２１３Ｃを設けても良い。
このようにすることで、脚部吸収部２０の大腿部へのフィット性をより良好にすることができる。
【００５８】
また、図８に示すように、突出部２１ｂ又はギャザーシート１１４に、互いに係止するための係止部３１を備えることとしても良い。
係止部３１は、例えば、両面テープからなり、突出部２１ｂ又はギャザーシート１１４の何れかに設けられ、一方を他方に固定する。
なお、係止部３１としては、これ以外にも、例えば、フック材を有するファスニングテープと、フック材と機械的に係合するループ材を有する係止層と、からなる構成としても良い。この場合、突出部２１ｂ及びギャザーシート１１４の何れか一方にファスニングテープを設け、他方に係止層を設けることとなる。
このようにすることで、止着式紙おむつ１０と脚部吸収部２０とを強固に連結することができ、脚部を動かすことで止着式紙おむつ１０と脚部吸収部２０と外れてしまうのを防止することができる。
【００５９】
また、図９に示すように、表面シート２１１と裏面シート２１２とを貼り合わせて形成された突出部２１ｂの長手方向の両端部に、突出部吸収体３２が介装される構成としても良い。
このようにすることで、股間部１１ｃから漏れ出した体液を脚部吸収部２０に誘導することができる。よって、突出部２１ｂにおける漏れを防止することができる。
【００６０】
また、上記実施形態においては、止着部２２が間欠的に形成された構成を例示して説明したが、止着部２２を連続的に構成しても良い。
【００６１】
また、上記実施形態においては、止着部２２が脚部本体部２１から外側へ突出した構成を例示して説明したが、脚部本体部２１から外側へ突出させず、脚部本体部２１に止着部２２を設けることとしても良い。この場合、例えば、脚部本体部２１の一端部にファスニングテープ２２１を備える構成等とすれば良い。
【００６２】
また、上記実施形態においては、被止着部２３を備えた構成を例示したが、裏面シート２１２の外面に不織布シートを備え、かかる不織布シートに止着部２２が止着される構成としても良い。
【００６３】
また、上記実施形態においては、止着式紙おむつ１０と脚部吸収部２０とが別体として形成された構成を例示して説明したが、止着式紙おむつ１０と脚部吸収部２０とが一体の構成であっても良い。この場合には、股間部１１ｃの両側部に脚部吸収部２０を備える構成とすることが好ましい。
【００６４】
また、上記実施形態においては、止着式紙おむつ１０に脚部吸収部２０が備えられた構成を例示して説明したが、止着式紙おむつの代わりにパンツ型使い捨ておむつであっても良い。
【符号の説明】
【００６５】
１  使い捨ておむつ（吸収性物品）
１０  止着式紙おむつ
１１  おむつ本体部
１１ａ  腹側部
１１ｂ  背側部
１１ｃ  股間部
１１ｄ  脚周り部
１１１  トップシート
１１２  バックシート
１１３  吸収体
１１４  ギャザーシート
１２  テープ部
１３  ターゲット部
２０  脚部吸収部（脚部用吸収性物品）
２１  脚部本体部
２１ａ  大腿被覆部
２１ｂ  突出部
２１１  表面シート
２１２  裏面シート
２１３  吸収体
Ｒ  易折り曲げ部
２１３Ａ  第１吸収体
２１３Ｂ  第２吸収体
２１３Ｃ  薄肉部
２１４  ギャザーシート
２１５  弾性部材
２１６  弾性部材
２２  止着部
２２ａ，２２ｂ，２２ｃ  止着部材
２２１  ファスニングテープ
２３  被止着部
３１  係止部
３２  突出部吸収体
【図１】
2015192746.tif 000003
【図２】
2015192746.tif 000004
【図３】
2015192746.tif 000005
【図４】
2015192746.tif 000006
【図５】
2015192746.tif 000007
【図６】
2015192746.tif 000008
【図７】
2015192746.tif 000009
【図８】
2015192746.tif 000010
【図９】
2015192746.tif 000011